(57)【要約】      （修正有）【課題】レリーズ二段階操作に対しても従来同等の操作性を維持することが可能な撮像装置を提供すること。【解決手段】タッチ検出手段と、タッチ操作出力値判定手段と、撮像装置の状態変更を行う撮像装置制御手段とを有する撮像装置において、撮像装置制御手段は、タッチ操作出力値判定手段の出力結果に対し第一閾値（Ｔｈｒｅｓｈ１）と第一閾値よりも大きい第二閾値（Ｔｈｒｅｓｈ２）の２つの値を有し、第一閾値は第一の値（ａ１）と第一の値よりも小さい第二の値（ａ２）に設定可能で、第二閾値は第一閾値の第一の値よりも大きい一定値（ｂ１）に設定されており、タッチ操作前の状態に於いては第一閾値は第一の値に設定されており、第二閾値の一定値よりも大きいタッチ操作が行われた場合に、第一の閾値を第二の値に変更し、第一閾値の第二の値よりも小さいタッチ操作が行われた場合に、第一閾値を第一の値に戻すことを特徴とする。【選択図】図１
2020134790.tif 000002
【特許請求の範囲】
【請求項１】
撮影者の指によるタッチ操作を検知できるタッチ検出手段（１２）と、
タッチ操作による出力値を判定するタッチ操作出力値判定手段（１１１）と、
該タッチ操作出力値判定手段（１１１）の出力結果に基づいて、撮像装置の状態変更を行う撮像装置制御手段（１０４）と、
を有する撮像装置において、
該撮像装置制御手段（１０４）は、タッチ操作出力値判定手段の出力結果に対し、
第一閾値（Ｔｈｒｅｓｈ１）と、第一閾値よりも大きい第二閾値（Ｔｈｒｅｓｈ２）の２つの値を有し、
さらに第一閾値は第一の値（ａ１）と第一の値よりも小さい第二の値（ａ２）に設定可能で、
第二閾値は第一閾値の第一の値（ａ１）よりも大きい一定値（ｂ１）に設定されており、
タッチ操作前の状態に於いては、第一閾値（Ｔｈｒｅｓｈ１）、は第一の値（ａ１）に設定されており、第二閾値の一定値（ｂ１）よりも大きいタッチ操作が行われた場合に、
第一の閾値（Ｔｈｒｅｓｈ１）を第二の値（ａ２）に変更し、第一閾値（Ｔｈｒｅｓｈ１）の第二の値よりも小さいタッチ操作が行われた場合に、第一閾値（Ｔｈｒｅｓｈ１）を第一の値（ａ１）に戻すことを特徴とする撮像装置。
【請求項２】
前記第一および、第二閾値（Ｔｈｒｅｓｈ１、Ｔｈｒｅｓｈ２）により、タッチ操作による出力値が、第一閾値（Ｔｈｒｅｓｈ１）未満の場合を第一の状態、第一閾値（Ｔｈｒｅｓｈ１）以上、第二閾値（Ｔｈｒｅｓｈ２）未満の場合を第二の状態、第二閾値（Ｔｈｒｅｓｈ２）以上の場合を第三の状態とし、第一の状態は撮影条件の選択開始を、第二の状態は撮影準備動作の開始を、第三の状態は撮影開始を指示する撮像装置制御状態であることを特徴とする請求項１に記載の撮像装置。
【請求項３】
前記撮像装置制御手段（１０４）は、さらに第二閾値が第一の値（ｂ１）と第一の値よりも小さい第二の値（ｂ２）に設定可能で、さらにそれぞれの閾値が第一の値（ａ１、ｂ１）と第一の値よりも小さい第二の値（ａ２、ｂ２）に設定可能で、
タッチ操作前の状態に於いては、第一閾値（Ｔｈｒｅｓｈ１）、第二の値（Ｔｈｒｅｓｈ２）はそれぞれ第一の値（ａ１、ｂ１）に設定されており、第二閾値の第一の値（ｂ１）よりも大きいタッチ操作が行われた場合に、第一閾値（Ｔｈｒｅｓｈ１）、第二閾値（Ｔｈｒｅｓｈ２）を第二の値（ａ２、ｂ２）に変更し、第一閾値（Ｔｈｒｅｓｈ１）の第二の値よりも小さいタッチ操作が行われた場合に、第一閾値（Ｔｈｒｅｓｈ１）、第二閾値（Ｔｈｒｅｓｈ２）をそれぞれ第一の値（ａ１、ｂ１）に戻すことを特徴とする請求項１又は請求項２に記載の撮像装置。
【請求項４】
タッチ検出手段（１２）は静電容量検知式であり、各種撮影条件選択状態では測距点を選択可能であることを特徴とする請求項１、請求項２、請求項３の何れか一項に記載の撮像装置。
【請求項５】
撮影者の指によるタッチ操作を検知できるタッチ検出手段（１２）と、
タッチ操作による出力値を判定するタッチ操作出力値判定手段（１１１）と、
連写と単写を切り替えるモード切り替え手段（１１）と前記タッチ操作出力値判定手段（１１１）の出力結果に基づいて、撮像装置の状態変更を行う撮像装置制御手段（１０４）と、
を有する撮像装置において、
該撮像装置制御手段（１０４）は、タッチ操作出力値判定手段の出力結果に対し、
第一閾値（Ｔｈｒｅｓｈ１）と、第一閾値よりも大きい第二閾値（Ｔｈｒｅｓｈ２）の２つの値を有し、
第一閾値は第二閾値よりも小さい一定値（ａ３）に設定されており、
第二閾値は第一の値（ｂ３）と第二の値（ｂ４）に設定可能で、
第一閾値（Ｔｈｒｅｓｈ１）未満の場合を第一の状態、第一閾値（Ｔｈｒｅｓｈ１）以上、第二閾値（Ｔｈｒｅｓｈ２）未満の場合を第二の状態、第二閾値（Ｔｈｒｅｓｈ２）以上の場合を第三の状態とし、
第一の状態は撮影条件の選択開始を、第二の状態は撮影準備動作を、第三の状態は撮影開始を指示する  撮像装置制御状態を有し、
第二閾値の値について、単写モード設定時の閾値（ｂ３）が、連写モード設定時の閾値（ｂ４）よりも小さいことを特徴とする撮像装置。
【発明の詳細な説明】
【技術分野】
【０００１】
本発明は、撮像装置に関し、特にタッチ操作可能なレリーズボタンを有する撮像装置に関する。
【背景技術】
【０００２】
従来の撮像装置では、撮影のためにグリップした状態で設定変更をする場合、人差し指や親指の近傍に配置される設定変更釦や、回転ダイヤルなどの操作部材を使用するのが一般的であった。
【０００３】
ところで、撮影時に撮影者は、人差し指をレリーズボタン上に置き、親指は、撮像装置背面に配置された背面ラバーや、ＡＦＡＥ開始釦などの操作部材に置く事が一般的である。この状態から設定変更をするためには、一旦設定変更釦や、回転ダイヤルなどに指を置き直す必要があった。そのため、指を置き直している間に決定的瞬間を撮り逃してしまう可能性があった。また、特にファインダを覗いた状態で設定を変更する場合は、操作部材を目視できない状態で操作しなければならず、指を置き直すときに操作ミスをする可能性があった。そのため、撮影時に指を置き直したりせずに、設定変更を容易に行えるような操作部材が求められている。
【０００４】
特許文献１に開示されている撮像装置は、撮像装置背面から上面にわたって連続的に配設されたタッチパネル上に操作釦を表示させる撮像装置である。前記操作釦はズーム釦を兼ねたレリーズ釦であり、操作釦への押圧力が所定の閾値以上の場合に、レリーズ動作を、所定閾値以下の場合に指位置に応じたズーム動作を行わせることを特徴とする撮像装置が開示されている。
【先行技術文献】
【特許文献】
【０００５】
【特許文献１】特許第０５０４２９３８号公報
【発明の概要】
【発明が解決しようとする課題】
【０００６】
しかしながら、上記の特許文献１に開示された従来技術では、タッチパネルを用いて一つの操作部材で、ズーム機能とレリーズ機能を実現しているが、指の接触部がタッチパネルのため硬質な操作感となり、力の加減が難しい。具体的には、従来の撮像装置ではレリーズ操作部材に二段検知式のスイッチ構成が多く用いられている。半押しと呼ばれる一段目の検出スイッチであるＳＷ１には、通常ＡＦ開始やＡＥ開始の撮影前動作が割り当てられる。全押しと呼ばれるニ段目の検出スイッチであるＳＷ２には、撮影開始動作が割り当てられている。先行文献に開示されているようなタッチ操作部材をレリーズ操作部材として使用する。
【０００７】
撮像装置では、押圧力の変化の検出が出来ても、操作者に対する操作感フィードバックが無いため、以下図９で示すような状況下での操作が難しいという課題がある。
【０００８】
図９はレリーズ操作部材にタッチ操作部材を用いた場合の課題を説明した図である。
【０００９】
撮像装置１で高速に移動する主被写体９００を撮影するようなシチュエーション下では、ＳＷ１期間中被写体を捕らえてＡＦ／ＡＥ等の撮影前動作を継続するサーボＡＦモードに設定される。撮影者はファインダの測距点表示部９０２に主被写体９００が入るように撮影スイング回転方向９０１に沿って撮像装置を把持しながら、レリーズ操作部材を半押しＳＷ１状態を保持し続ける（ＳＴＥＰ１）。次に撮影したい任意のタイミングで、全押しＳＷ２をして撮影を行う（ＳＴＥＰ２）。その後レリーズ操作部材から指を離さずに、再び半押しＳＷ１状態をキープして主被写体９００のＡＦ追従を継続する（ＳＴＥＰ３）。上記の撮影方法により、移動する主被写体９００に対して、所望のタイミングでシャッターチャンスを逃さない撮影が可能になるが、操作力フィードバックが無い為、特に全押した後に、半押しに戻す際の力の抜き加減のコントロールが難しいという課題がある。
【００１０】
そこで、本発明の目的は、レリーズポジションから他の操作部材に指を置き直すことなく、容易に撮影設定を変更することを可能にしつつ、レリーズ二段階操作に対しても従来同等の操作性を維持することが可能な撮像装置を提供することにある。
【課題を解決するための手段】
【００１１】
上記の目的を達成するために、本発明に係る撮像装置は、
撮影者の指によるタッチ操作を検知できるタッチ検出手段（１２）と、
タッチ操作による出力値を判定するタッチ操作出力値判定手段（１１１）と、
該タッチ操作出力値判定手段（１１１）の出力結果に基づいて、撮像装置の状態変更を行う撮像装置制御手段（１０４）と、
を有する撮像装置において、
該撮像装置制御手段（１０４）は、タッチ操作出力値判定手段の出力結果に対し、
第一閾値（Ｔｈｒｅｓｈ１）と、第一閾値よりも大きい第二閾値（Ｔｈｒｅｓｈ２）の２つの値を有し、
さらに第一閾値は第一の値（ａ１）と第一の値よりも小さい第二の値（ａ２）に設定可能で、
第二閾値は第一閾値の第一の値（ａ１）よりも大きい一定値（ｂ１）に設定されており、
タッチ操作前の状態に於いては、第一閾値（Ｔｈｒｅｓｈ１）、は第一の値（ａ１）に設定されており、第二閾値の一定値（ｂ１）よりも大きいタッチ操作が行われた場合に、
第一の閾値（Ｔｈｒｅｓｈ１）を第二の値（ａ２）に変更し、第一閾値（Ｔｈｒｅｓｈ１）の第二の値よりも小さいタッチ操作が行われた場合に、第一閾値（Ｔｈｒｅｓｈ１）を第一の値（ａ１）に戻すことを特徴とする。
【００１２】
また、本発明に係る撮像装置は、
撮影者の指によるタッチ操作を検知できるタッチ検出手段（１２）と、
タッチ操作による出力値を判定するタッチ操作出力値判定手段（１１１）と、
連写と単写を切り替えるモード切り替え手段（１１）と前記タッチ操作出力値判定手段（１１１）の出力結果に基づいて、撮像装置の状態変更を行う撮像装置制御手段（１０４）と、を有する撮像装置において、
該撮像装置制御手段（１０４）は、タッチ操作出力値判定手段の出力結果に対し、
第一閾値（Ｔｈｒｅｓｈ１）と、第一閾値よりも大きい第二閾値（Ｔｈｒｅｓｈ２）の２つの値を有し、
第一閾値は第二閾値よりも小さい一定値（ａ３）に設定されており、
第二閾値は第一の値（ｂ３）と第二の値（ｂ４）に設定可能で、
第一閾値（Ｔｈｒｅｓｈ１）未満の場合を第一の状態、第一閾値（Ｔｈｒｅｓｈ１）以上、第二閾値（Ｔｈｒｅｓｈ２）未満の場合を第二の状態、第二閾値（Ｔｈｒｅｓｈ２）以上の場合を第三の状態とし、
第一の状態は撮影条件の選択開始を、第二の状態は撮影準備動作を、第三の状態は撮影開始を指示する  撮像装置制御状態を有し、
第二閾値の値について、単写モード設定時の閾値（ｂ３）が、連写モード設定時の閾値（ｂ４）よりも小さいことを特徴とする。
【発明の効果】
【００１３】
本発明に係る撮像装置によれば、操作フィードバックが無いタッチ操作部材での撮影条件設定及びレリーズ操作に於いて、押下操作開始時は、測距点選択状態の感度帯を広く設定することができ意図せず撮影前動作状態になる誤操作を防止することができる。また、撮影状態から解放操作を行う際には、撮影前動作状態の感度帯を広く設定することができ、選択された測距点位置での撮影前動作状態から意図せず抜けてしまう誤操作を防止することができ操作性を向上することができる。
【図面の簡単な説明】
【００１４】
【図１】（ａ）は本発明の実施例である撮像装置のタッチ操作部材の押下方向操作時の操作力と静電容量閾値を示した図、（ｂ）は本発明の実施例である撮像装置のタッチ操作部材の解放方向操作時の操作力と静電容量閾値を示した図
【図２】本発明の第一の実施例である撮像装置のシステム構成図
【図３】（ａ）は本発明の第一の実施例である撮像装置の前面方向全体斜視図、（ｂ）は本発明の第一の実施例である撮像装置の背面方向全体斜視図
【図４】（ａ）は本発明の第一の実施例であるタッチレリーズ操作部材の部分斜視図、（ｂ）は本発明の第一の実施例であるタッチレリーズ操作部材の裏面視部分斜視図、（ｃ）は本発明の第一の実施例であるタッチレリーズ操作部材の部分分解斜視図、（ｄ）は本発明の第一の実施例であるタッチレリーズ操作部材の裏面部部分分解斜視図、（ｅ）は本発明の第一の実施例であるタッチタッチレリーズ操作部材のタッチ検出部１２ｂの構成図、（ｆ）は本発明の第一の実施例であるタッチレリーズ操作部材の測距点と感度領域の対応図
【図５】本発明の第一の実施例である撮像装置のタッチレリーズ操作部材に於ける時間毎の静電容量変化と閾値切り替えタイミングを示した図
【図６】本発明の第一の実施例である撮像装置の撮影に於けるプロセス制御フロー図
【図７】（ａ）は本発明の第二の実施例である撮像装置の単写モード時の操作力と静電容量閾値を示した図、（ｂ）は本発明の第二の実施例である撮像装置の連写モード時の操作力と静電容量閾値を示した図
【図８】本発明の第二の実施例である撮像装置の撮影に於けるプロセス制御フロー図
【図９】従来構成によるレリーズ操作部材にタッチ操作部材を用いた場合の課題を説明した図
【発明を実施するための形態】
【００１５】
以下、本発明を実施するための形態について、図面を参照しながら説明する。
【実施例１】
【００１６】
図１から図６を参照して、本発明の第１の実施例による、撮像装置について説明する。なお、図１〜図９で共通する部分には同一の符号を付す。
【００１７】
図２は本実施形態における撮像装置のシステム構成図である。まず図２を用いて本実施形態における撮像装置のシステム構成を説明する。
【００１８】
撮像装置１に内蔵されたマイクロコンピュータからなる中央処理装置（以下、「ＭＰＵ」と称する）１０１は、カメラの動作制御を司るものであり、各要素に対して様々な処理や指示を実行する。本体メモリ１０２には、各種カメラ設定値を記憶することができる。
【００１９】
ＭＰＵ１０１には、ミラー駆動回路１０３、スイッチセンス回路１０４、焦点検出回路１０５、撮像信号処理回路１０９が接続されている。これらの回路は、ＭＰＵ１０１の制御により動作するものである。ＭＰＵ１０１は、撮影レンズユニット２内のレンズ制御回路２０１とマウント接点１３を介して通信を行う。マウント接点１３は、撮影レンズユニット２が接続されるとＭＰＵ１０１へ信号を送信する機能も有する。これにより、レンズ制御回路２０１は、ＭＰＵ１０１との間で通信を行い、撮影レンズユニット２内の撮影レンズ２０２の駆動を行い被写体の焦点を合わせることができる。
【００２０】
メインミラー３は、図３に示す撮影レンズ光軸２ａに対して４５°の角度に保持された状態で、撮影レンズユニット２を通過する撮影光束をファインダユニット７へ導くと共に、その一部を透過させてサブミラー４へ導く。サブミラー４で反射された撮影光束は焦点検出センサ５に導光され、位相差方式の焦点検出を行う。前記焦点情報は、焦点検出回路１０５へ供給され、信号に基づいて焦点検出演算を行い、デフォーカス量及びデフォーカス方向を求め、これに基づいて、レンズ制御回路２０１を介して撮影レンズユニット２０２を合焦位置まで駆動する。
【００２１】
撮像ユニット８は、被写体像を光電変換する撮像素子を有し、ＣＣＤ型、ＣＭＯＳ型及びＣＩＤ型等様々な形態があり、いずれの形態の撮整像デバイスを採用してもよい。ミラー駆動回路１０３は、例えばＤＣモータとギヤトレイン等によって構成され、メインミラー３を、ファインダにより被写体像を観察可能とする位置と、撮影光束から待避する位置とに駆動する。ファインダユニット７は、メインミラー３により反射された撮影光束を正立正像に変換反射する。撮影者はファインダユニット７を介して被写体像を観察することができる。また、ファインダ内表示ユニット６によって、選択中の測距点情報などの撮影条件表示を確認することができる。
【００２２】
クランプ／ＣＤＳ（相関二重サンプリング）回路１０６は、Ａ／Ｄ変換する前の基本的なアナログ処理を行うものであり、クランプレベルを変更することも可能である。ＡＧＣ１０７（自動利得調整装置）は、Ａ／Ｄ変換する前の基本的なアナログ処理を行うものであり、ＡＧＣ基本レベルを変更することも可能である。Ａ／Ｄ変換器１０８は、撮像ユニット８のアナログ出力信号をデジタル信号に変換する。
【００２３】
撮像信号処理回路１０９は、デジタル化された画像データに対してガンマ／ニー処理、フィルタ処理、ハードウエアによる画像処理全般を実行する。この撮像信号処理回路１０９からのモニタ表示用の画像データは、表示装置駆動回路１１０を介して表示部材９に表示される。
【００２４】
スイッチセンス回路１０４は、各スイッチの操作状態に応じて入力信号をＭＰＵ１０１に送信する。測距点選択ボタン１０は押下により、測距点を撮影者による任意の位置に移動することができる状態に遷移することができる。撮影モード切り替えボタン１１は押下により、後述するタッチレリーズ操作により１回の撮影を行う単写モードと、タッチレリーズ操作中複数枚の撮影を行う連写モードの切り替えを行うことができる。タッチレリーズ操作部材１２は後述するタッチ操作検出部１２ｂによるタッチ操作出力をタッチセンス回路１１１にて検出し、タッチ操作状態をＭＰＵ１０１に送信する。
【００２５】
次に図３を用いて本実施形態における撮像装置の全体構成について説明する。
【００２６】
図３（ａ）は、撮像装置の前面斜視図であり、図３（ｂ）は、撮像装置の背面斜視図である。
【００２７】
撮像装置１には、撮影レンズユニット２が不図示のレンズマウントによって接続されている。撮像装置１には種々の操作部材が配置されている。１２はタッチレリーズ操作部材である。タッチレリーズ操作部材１２の構成については、図４を用いて後述説明する。カメラ背面部には、ファインダユニット７、測距点選択ボタン１０、撮影モード切り換えボタン１１が配されている。
【００２８】
次に図４を用いて本実施形態におけるタッチレリーズ操作部材１２の構成について説明する。図４（ａ）は、本発明の実施例であるタッチレリーズ操作部材の部分斜視図であり、図４（ｂ）は、本発明の実施例であるタッチレリーズ操作部材の裏面視部分斜視図であり、図４（ｃ）は、本発明の実施例であるタッチレリーズ操作部材の部分分解斜視図であり、図４（ｄ）は、本発明の実施例であるタッチレリーズ操作部材の裏面部部分分解斜視図である。
【００２９】
タッチレリーズ操作部材１２は、撮像装置の外部筐体の一部がタッチ操作可能な状態で構成されて操作部材であり、１２ａの範囲がタッチ操作可能部となっている。タッチ操作可能部１２ａを覆うようにタッチ操作検出部１２ｂが接着剤等のタッチ検出部固定部材１２ｃによって外部筐体の裏面に固定されている。上記のようにタッチレリーズ操作部が外部筐体によって構成される為、外部筐体にボタン設定用の穴を設ける必要が無く、防塵防滴性能及び外観意匠の自由度を向上することができる。また撮影者が撮像装置を把持した際に、自然に人差し指がおかれる位置にタッチ操作可能部１２ａを設定することで、カメラ設定変更を行う際にも、常に安定した把持状態を維持することが可能になる。その為、操作性が良くかつ決定的瞬間と取り逃さない撮像装置を提供することが可能になる。
【００３０】
次にタッチ操作検出部１２ｂの構成について、図４（ｅ）を用いて説明する。
【００３１】
図４（ｅ）は、本発明の実施例であるタッチレリーズ操作部材１２のタッチ操作検出部１２ｂの構成図である。
【００３２】
タッチ操作検出部１２ｂは、ポリイミドのベース部対して、銅箔によりパターン形成されたいわゆるフレキシブルプリント基板（＝ＦＰＣ）によって構成されている。タッチ操作可能部１２ａ全体を覆うタッチ操作検出部１２ｂの外形内には、上下左右４箇所において、銅パターン（１２ｂ−１、１２ｂ−２、１２ｂ−３、１２ｂ−４）が形成されている。上側検出部として、銅パターン１２ｂ−１が、下側検出部として、銅パターン１２ｂ−３が、右側検出部として、銅パターン１２ｂ−２が、左側検出部として、銅パターン１２ｂ−４が対応している。上記銅パターンはそれぞれタッチセンス回路１１１に接続され、上下左右それぞれの検出部の静電容量の変化を検出する。
【００３３】
出力結果のバランスにより撮影者の指によるタッチレリーズ操作部材１２への接触の位置及び面積を検出する。
【００３４】
次にタッチ操作と測距点選択の対応について、図４（ｆ）を用いて説明する。
【００３５】
図４（ｆ）は、本発明の実施例である操作部材の測距点と感度領域の対応図である。
【００３６】
６ａはファインダユニット７内に表示されたファインダ表示ユニット上に表示される測距点表示である。撮像装置の測距点数が例えば９点であった場合、測距点のレイアウトは図４（ｆ）に示すように菱形上にレイアウトされる。測距点表示６ａ全体を覆う範囲とタッチ操作可能部１２ａ全体が対応するように設定されている。タッチ操作可能部１２ａは測距点表示６ａのレイアウトに対応して、縦横５×５の２５マスのエリアに分けられている。
【００３７】
例えば、撮影者の指によるタッチレリーズ操作部材１２へのタッチがＡＲＥＡ  Ｔの範囲で行われた場合、タッチエリアは（Ｘ４、Ｙ４）が選択されれそのエリアに対応した左下測距点が選択される構成となっている。
【００３８】
次に図１を用いて、タッチレリーズ操作部材１２のタッチ操作力Ｆと静電容量変化に対する閾値設定の関係について説明する。
【００３９】
図１（ａ）は、本発明の実施例である撮像装置のタッチ操作部材の押下方向操作時の操作力Ｆと静電容量出力値Ｓを示した図である。図１（ｂ）は、本発明の実施例である撮像装置のタッチレリーズ操作部材１２の解放方向操作時のタッチ操作力Ｆと静電容量出力値Ｓを示した図である。
【００４０】
タッチ操作力Ｆが増加するとタッチレリーズ操作部材１２に対して撮影者の指の設置面積が増加し、それに比例して静電容量出力値Ｓも大きくなる。撮影者の指のタッチ操作力Ｆの値に応じて、カメラ制御状態は下記の３つの状態を遷移する。一つ目は、撮影者の指のタッチ位置に応じて測距点を選択する測距点選択状態（以下ＳＷ０、測距点選択状態）である。二つ目は、選択された測距点位置での被写体測距（＝ＡＦ）及び測光（＝ＡＥ）を行う撮影準備前動作状態（以下ＳＷ１、撮影前動作状態）である。三つ目は選択された測距点位置での撮影を行う撮影状態である（以下ＳＷ２、撮影状態）。第一閾値（Ｔｈｒｅｓｈ１）は、測距点選択状態から撮影前動作状態に遷移する閾値であり、第二閾値（Ｔｈｒｅｓｈ２）は、撮影前動作状態から撮影状態に遷移する閾値である。押下方向の操作が行われる際の第一、第二閾値はそれぞれ
Ｔｈｒｅｓｈ１＝ａ１
Ｔｈｒｅｓｈ２＝ｂ１
の値が設定されており、解放方向の操作が行われる際の第一、第二閾値はそれぞれ
Ｔｈｒｅｓｈ１＝ａ２
Ｔｈｒｅｓｈ２＝ｂ２
の値が設定されている。押下操作時の第一閾値の値ａ１は解放操作時の第一閾値に対してα分小さい値に設定さており、押下操作時の第二閾値の値ｂ１は解放操作時の第二閾値に対してβ分小さい値に設定されている。αの値は測距点選択状態ＳＷ０の感度帯の半分程度、βの値は最小でもタッチセンス回路１１１の最少分解能以上の値で且つタッチセンス回路１１１がｂ１判定できる最小の値とする。
【００４１】
上記構成により押下操作開始時は、測距点選択状態ＳＷ０の感度帯を広く設定することができ、意図せず撮影前動作状態ＳＷ１になる誤操作を防止することができる。また、撮影状態ＳＷ２から解放操作を行う際には、撮影前動作状態ＳＷ１の感度帯を広く設定することができ、選択された測距点位置での撮影前動作状態から意図せず抜けてしまう誤操作を防止することができ操作性を向上することができる。
【００４２】
次に図５を用いて、閾値の切り替わり条件について説明する。
【００４３】
図５は、本発明の実施例である撮像装置のタッチレリーズ操作部材１２に於ける時間毎の静電容量出力値Ｓの変化と閾値切り替えタイミングを示した図である。横軸は時間、縦軸は静電容量出力値Ｓである。
【００４４】
前述のように撮影者の指によるタッチレリーズ操作部材１２への操作が無い状態では、第一、第二閾値はそれぞれ、ａ１、ｂ１が設定されている。この閾値設定状態をＰｈａｓｅ１とする。タッチ操作による静電容量出力値Ｓがｂ２を超えたタイミングＰ１で、撮影動作が行われると同時に第一、第二閾値はそれぞれａ２、ｂ２に設定される。この閾値設定状態をＰｈａｓｅ２とする。静電容量出力値Ｓがａ２を下回ったタイミングＰ２で再び閾値の設定値をＰｈａｓｅ１に戻すように制御する。上記により、静電容量出力値Ｓとしては同じＡ値をとる場合でも、Ｐｈａｓｅ１に於いては、測距点選択動作を、Ｐｈａｓｅ２に於いては撮影前動作を、行うようにカメラ状態を制御することができる。これにより、シチュエーションに応じた操作制御を行える為、操作性の改善を行うことができる。
【００４５】
次に図６を用いて、撮影時の制御フローについて説明する。
【００４６】
図６は、本発明の実施例である撮像装置の撮影に於けるプロセス制御フロー図である。
【００４７】
撮像装置の電源が入れられ、撮影を行う為に撮影者がカメラを構えた状態をスタート状態とする（Ｓ６０１）。撮影開始状態に於いては、第一、第二の閾値はそれぞれａ１、ｂ１に設定されている（Ｓ６０２）。撮影者によって測距点選択ボタン１０が押下されたか否かを判定する（Ｓ６０３）。まず、測距点選択ボタン１０の押下があった場合のフローについて説明する。測距点選択ボタン１０が押下された場合は、静電容量出力値ＳがＳ＞０であるかを判定する（Ｓ６０４）。Ｓ＞０でない場合は撮影者からの操作が無いものと判定し、撮影は終了する（Ｓ６０５）。Ｓ＞０である場合は撮影者の指による操作を検出し（Ｓ６０６）指の位置に追従して測距点を移動する（Ｓ６０７）。次に静電容量出力値Ｓがａ１≦Ｓ＜ｂ１であるかを判定し、ａ１≦Ｓ＜ｂ１の場合は指の位置の対応した測距点を選択された測距点として設定し、設定された測距点での撮影準備動作（ＡＦ／ＡＥ）を行う（Ｓ６１０）。ａ１≦Ｓ＜ｂ１でない場合は、指の位置に追従した測距点移動を続ける。
【００４８】
測距点選択ボタンの押下が無かった場合は、前回撮影時の測距点を選択された測距点として設定する（Ｓ６１１）。次に静電容量出力値ＳがＳ＞０であるかを判定する（Ｓ６１２）。Ｓ＞０でない場合は撮影者からの操作が無いものと判定し、撮影は終了する（Ｓ６０５）。Ｓ＞０である場合は撮影者の指による操作を検出し（Ｓ６１３）、設定された測距点での撮影準備動作（ＡＦ／ＡＥ）を行う（Ｓ６１０）。
【００４９】
次に静電容量出力値ＳがＳ＞ｂ１であるかの判定を行う（Ｓ６１４）。Ｓ＞ｂ１の場合は第一、第二閾値の値をそれぞれａ２、ｂ２に変更し（Ｓ６１５）、選択された測距点位置での撮影を開始する（Ｓ６１６）。Ｓ＞ｂ１でない場合は、設定された測距点での撮影準備動作（ＡＦ／ＡＥ）を続ける。次に静電容量出力値ＳがＳ＜ｂ２であるかを判定する（Ｓ６１７）。Ｓ＜ｂ２である場合には撮影を停止し（Ｓ６１８）、Ｓ＜ｂ２でない場合には撮影を続ける（Ｓ６１６）。次に静電容量出力値Ｓがａ２≦Ｓ＜ａ２であるかを判定する（Ｓ６１９）。ａ２≦Ｓ＜ａ２である場合には選択された測距点での撮影準備操作（ＡＦ／ＡＥ）を続ける（Ｓ６２０）。次に静電容量出力値ＳがＳ＞ｂ２であるかを判定する（Ｓ６２１）。Ｓ＞ｂ２である場合には撮影を開始し（Ｓ６１６）、Ｓ＞ｂ２でない場合には静電容量出力値Ｓがａ２≦Ｓ＜ａ２であるかを判定する（Ｓ６１９）。ａ２≦Ｓ＜ａ２でない場合には再び第一、第二閾値の値をそれぞれａ１、ｂ１戻しフローの最初に戻る（Ｓ６０２）。
【００５０】
以上が本発明の実施の形態における撮像装置の制御フローである。
【００５１】
以上説明してきた構成を採ることで、操作フィードバックが無いタッチ操作部材での測距点選択及びレリーズ操作に於いて、押下操作開始時は、測距点選択状態の感度帯を広く設定することができ意図せず撮影前動作状態になる誤操作を防止することができる。また、撮影状態から解放操作を行う際には、撮影前動作状態の感度帯を広く設定することができ、選択された測距点位置での撮影前動作状態から意図せず抜けてしまう誤操作を防止することができ操作性を向上することができる。
【実施例２】
【００５２】
以下、図７から図８を参照して、本発明の第２の実施例による、撮像装置について説明する。
【００５３】
図７（ａ）は、本発明の実施例である撮像装置の単写モード時の操作力と静電容量閾値を示した図であり、図７（ｂ）は、本発明の実施例である撮像装置の連写モード時の時の操作力と静電容量閾値を示した図である。
【００５４】
第一閾値（Ｔｈｒｅｓｈ１）は、測距点選択状態から撮影前動作状態に遷移する閾値であり、第二閾値（Ｔｈｒｅｓｈ２）は、撮影前動作状態から撮影状態に遷移する閾値である。単写モードでの第一、第二閾値はそれぞれ
Ｔｈｒｅｓｈ１＝ａ３
Ｔｈｒｅｓｈ２＝ｂ３
の値が設定されており、連写モードでの第一、第二閾値はそれぞれ
Ｔｈｒｅｓｈ１＝ａ３
Ｔｈｒｅｓｈ２＝ｂ４
の値が設定されている。単写モードと連写モードでは、第一閾値（Ｔｈｒｅｓｈ１）の値はａ３で同じ有るのに対して、第二閾値（Ｔｈｒｅｓｈ２）は連写モード時の値ｂ４は単写モード時の第二閾値に対してγ分大きい値に設定されている。γの値は単写モード時のＳＷ２の感度帯の半分程度の値とする。上記構成により単写モード時は、撮影前動作状態ＳＷ１から撮影状態ＳＷ２に切り替える閾値を小さくすることができるため、レリーズタイムラグが小さい構成にでき、単写で一瞬を狙う際にその瞬間を逃さない撮影ができる。連写モード時は、撮影前動作状態ＳＷ１の感度帯を広く設定することができる為、撮影状態ＳＷ２から、撮影前動作状態ＳＷ１に移行する操作が容易になる。それによりタッチ操作構成になることで、操作フィードバックが無く力の抜き加減の調整が難しい状況に於いても被写体に焦点を合わせ続ける操作が用意な撮像装置を提供できる。
【００５５】
次に図８を用いて、撮影時の制御フローについて説明する。
【００５６】
図８は、本発明の実施例である撮像装置の撮影に於けるプロセス制御フロー図である。
【００５７】
撮像装置の電源が入れられ、撮影を行う為に撮影者がカメラを構えた状態をスタート状態とする（Ｓ８０１）。撮影者によって測距点選択ボタン１０が押下されたか否かを判定する（Ｓ８０２）。まず、測距点選択ボタンの押下があった場合のフローについて説明する。測距点選択ボタン１０が押下された場合は、静電容量出力値ＳがＳ＞０であるかを判定する（Ｓ８０３）。Ｓ＞０でない場合は撮影者からの操作が無いものと判定し、撮影は終了する（Ｓ８０５）。Ｓ＞０である場合は撮影者の指による操作を検出し（Ｓ８０４）指の位置に追従して測距点を移動する（Ｓ８０６）。次に静電容量出力値Ｓがａ３＜Ｓであるかを判定し、ａ３＜Ｓの場合は指の位置の対応した測距点を選択された測距点として設定し、設定された測距点での撮影準備動作（ＡＦ／ＡＥ）を行う（Ｓ８０９）。ａ３＜Ｓでない場合は、指の位置に追従した測距点移動を続ける。
【００５８】
測距点選択ボタンの押下が無かった場合は、前回撮影時の測距点を選択された測距点として設定する（Ｓ８１１）。次に静電容量出力値ＳがＳ＞０であるかを判定する（Ｓ８１２）。Ｓ＞０でない場合は撮影者からの操作が無いものと判定し、撮影は終了する（Ｓ８０５）。Ｓ＞０である場合は撮影者の指による操作を検出し（Ｓ８１３）、設定された測距点での撮影準備動作（ＡＦ／ＡＥ）を行う（Ｓ８０９）。
【００５９】
次に撮影モードが単写モードかの判定を行う（Ｓ８１３）。単写モードの場合には第二閾値の値をｂ３に設定する（Ｓ８１４）。
次に静電容量出力値ＳがＳ＞ｂ３であるかの判定を行う（Ｓ８１５）。Ｓ＞ｂ３の場合は選択された測距点位置での撮影を開始し（Ｓ８１６）、Ｓ＞ｂ３でない場合は、設定された測距点での撮影準備動作（ＡＦ／ＡＥ）を続ける（Ｓ８０９）。次に静電容量出力値ＳがＳ＜ｂ３であるかを判定する（Ｓ８１７）。Ｓ＜ｂ３である場合には撮影を停止し（Ｓ８１８）、Ｓ＜ｂ３でない場合には撮影を続ける（Ｓ８１６）。次に静電容量出力値Ｓがａ３≦Ｓ＜ｂ３であるかを判定する（Ｓ８１９）。ａ３≦Ｓ＜ｂ３である場合には選択された測距点での撮影準備操作（ＡＦ／ＡＥ）を行う（Ｓ８２０）。ａ３≦Ｓ＜ｂ３でない場合には再びフローの最初に戻る。次に静電容量出力値ＳがＳ＞ｂ３であるかを判定する（Ｓ８２１）。Ｓ＞ｂ３である場合には、撮影を行う（Ｓ８１６）。Ｓ＞ｂ３でない場合には、再び静電容量出力値Ｓがａ３≦Ｓ＜ｂ３であるかを判定する（Ｓ８１９）。
【００６０】
連写モードの場合には、第二閾値の値をｂ４に設定する（Ｓ８２２）。以下のフローは単写モードの第二閾値をｂ４に置き換えた場合と同様の為、説明を割愛する。以上が本発明の実施の形態における撮像装置の制御フローである。
【００６１】
以上、本発明の好ましい実施形態について説明したが、本発明はこれらの実施形態に限定されず、その要旨の範囲内で種々の変形及び変更が可能である。
【００６２】
（他の実施例）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００６３】
１  カメラ本体、２  撮影レンズユニット、２ａ  撮影レンズ光軸、
３  メインミラー、４  サブミラー、５  焦点検出センサ、
６  ファインダ内表示ユニット、６ａ  測距点表示、７  ファインダユニット、
８  撮像ユニット、９  表示部材、１０  測距点選択ボタン、
１１  撮影モード切り替えボタン、１２  タッチレリーズ操作部材、
１２ａ  タッチ操作可能部、１２ｂ  タッチ操作検出部、
１２ｃ  タッチ検出部固定部材、１３  マウント接点、１０１  ＭＰＵ、
１０２  本体メモリ、１０３  ミラー駆動回路、１０４  スイッチセンス回路、
１０５  焦点検出回路、１０６  クランプ／ＣＤＳ回路、１０７  ＡＧＣ、
１０８  Ａ／Ｄ変換器、１０９  撮像信号処理回路、
１１０  表示装置駆動回路、１１１  タッチセンス回路、２０１  レンズ制御回路、
Ｔｈｒｅｓｈ１  第一閾値、Ｔｈｒｅｓｈ２  第二閾値、ａ１  第一閾値の値、
ｂ１  第二閾値の値、Ｆ  タッチ操作力、Ｓ  静電容量出力値、
ＳＷ０  測距点選択状態、ＳＷ１  撮影前動作状態、ＳＷ２  撮影状態
【図１】
2020134790.tif 000003
【図２】
2020134790.tif 000004
【図３】
2020134790.tif 000005
【図４】
2020134790.tif 000006
【図５】
2020134790.tif 000007
【図６】
2020134790.tif 000008
【図７】
2020134790.tif 000009
【図８】
2020134790.tif 000010
【図９】
2020134790.tif 000011